(57)【要約】      （修正有）【課題】  接着テープを確実に被貼付体に貼り合わせることができると共に、接着テープから支持テープを確実に剥がすことができる貼合装置を提供する。【解決手段】  透明板保持装置７に保持された状態で、接着テープ１０２が貼合面に貼り合わされた透明板１００を、支持テープ１０４の側から支持し、スライドテーブル１３に設けられ、接着テープ１０２を支持している支持テープ１０４に係合して支持テープ１０４を剥離する剥離ローラ３２，３３と、スライドテーブル１３がスライド可能に設けられている。透明板保持装置７がガイド機構１２にガイドされたテープ体１０１の接着テープ１０２に近接して、透明板１００に接着テープ１０２が貼り合わされると、リフトベース１５が降下し、次いで、スライドテーブル１３が延在方向の上流側にスライドして、支持テープ１０４が一対の剥離ローラ３２，３３によって接着テープ１０２から剥離される。【選択図】  図６
2005314033.tif 000002
【特許請求の範囲】
【請求項１】
両面に接着層が設けられた接着テープの一方の面に支持テープが貼り合わされたテープ体を、被貼付体に貼り合わせ、上記接着テープから上記支持テープを剥離する貼合装置において、
上記テープ体をガイドするガイド機構と、
上記被貼付体の貼合面を、上記ガイド機構にガイドされたテープ体の露出された接着テープと対向させて上記被貼付体を保持すると共に、この保持した被貼付体を上記接着テープに対して近接させて、上記接着テープに上記被貼付体に貼り合わせる保持機構と、
上記保持機構に保持された状態で、上記接着テープが上記貼合面に貼り合わされた上記被貼付体を、上記支持テープの側から支持すると共に、上記テープ体の延在する延在方向の上流側にスライドするスライドテーブルと、
上記スライドテーブルに設けられ、上記接着テープを支持している支持テープに係合して上記テープ体の支持テープを剥離する少なくとも一対の剥離ローラと、
上記スライドテーブルがスライド可能に設けられると共に、上記ガイド機構によって延在されたテープ体に対して離間する方向に移動するリフトベースとを備え、
上記少なくとも一対の剥離ローラは、上記テープ体の延在方向とこの延在方向に直交する方向にオフセットして設けられており、
上記保持機構が上記ガイド機構にガイドされたテープ体の接着テープに近接して、保持された被貼付体に上記接着テープが貼り合わされると、上記リフトベースが上記テープ体から離間する方向に移動し、次いで、上記スライドテーブルが上記延在方向の上流側にスライドして、上記支持テープが上記一対の剥離ローラによって上記接着テープから剥離されることを特徴とする貼合装置。
【請求項２】
上記スライドテーブルは、上記接着テープを上記被貼付体に貼り合わせるとき、上記被貼付体を弾性体によって支持し、
上記接着テープから支持テープを剥離する際起点となる位置の弾性体が他の領域の弾性体より強い弾性力を有していることを特徴とする請求項１記載の貼合装置。
【請求項３】
上記スライドテーブルには、更に、上記テープ体に設けられた位置決め孔に係合する位置決め突起が設けられていることを特徴とする請求項１記載の貼合装置。
【発明の詳細な説明】
【技術分野】
【０００１】
本発明は、透明パネルと言った被貼付体に両面型の接着テープを貼り合わせる貼合装置に関する。
【背景技術】
【０００２】
携帯型電話機といった電気機器には、動作状況等を表示する表示部が設けられている。この電気機器に設けられる表示部は、通常、筐体に設けられた開口部に、液晶表示パネルを取り付け、液晶表示パネルが取り付けられた開口部に、透明板が閉塞するように取り付けられている。この透明板は、開口部を構成する開口端に両面に接着層が設けられた両面型接着テープによって貼り合わされる。
【０００３】
通常、両面型接着テープは、両面に接着層が設けられた接着テープの一方の側に剥離テープが貼り合わされており、他方の側に、支持テープが貼り合わされている。そして、両面型の接着テープは、先ず、剥離テープが接着テープより剥がされ、透明板の所定位置に貼り合わされた後、透明板に貼り合わされた接着テープより支持テープが剥がされ、透明板は、表示部を構成する開口部の開口端に貼り合わされる。
【０００４】
接着テープを透明板に貼り合わせ支持テープを剥がす作業は、位置決め治具に、接着テープを位置決めし、この後、手作業で支持テープを剥がすようにしていた。しかしながら、支持テープが貼り合わされている接着層は、その接着強度にばらつきがあり、従って、支持テープの剥離を手作業で行う場合、非常に面倒なものであった。また、装置を用いて剥離する場合も、この接着強度のばらつきにより、確実に支持テープを剥がすことができないことがあった。
【０００５】
なお、透明な部材に接着テープを貼り合わせる装置には、下記特許文献１及び特許文献２のようなものがある。
【０００６】
【特許文献１】特開昭６３−２９４３１８号公報
【特許文献２】特開昭６３−１３０６８８号公報
【発明の開示】
【発明が解決しようとする課題】
【０００７】
本発明は、以上のような問題点に鑑みてなされたものであり、その目的は、接着テープを確実に被貼付体に貼り合わせることができると共に、接着テープから支持テープを確実に剥がすことができる貼合装置を提供することにある。
【課題を解決するための手段】
【０００８】
本発明に係る貼合装置は、両面に接着層が設けられた接着テープの一方の面に支持テープが貼り合わされたテープ体を、被貼付体に貼り合わせ、上記接着テープから上記支持テープを剥離する貼合装置において、上記テープ体をガイドするガイド機構と、上記被貼付体の貼合面を、上記ガイド機構にガイドされたテープ体の露出された接着テープと対向させて上記被貼付体を保持すると共に、この保持した被貼付体を上記接着テープに対して近接させて、上記接着テープに上記被貼付体に貼り合わせる保持機構と、上記保持機構に保持された状態で、上記接着テープが上記貼合面に貼り合わされた上記被貼付体を、上記支持テープの側から支持すると共に、上記テープ体の延在する延在方向の上流側にスライドするスライドテーブルと、上記スライドテーブルに設けられ、上記接着テープを支持している支持テープに係合して上記テープ体の支持テープを剥離する少なくとも一対の剥離ローラと、上記スライドテーブルがスライド可能に設けられると共に、上記ガイド機構によって延在されたテープ体に対して離間する方向に移動するリフトベースとを備える。そして、上記少なくとも一対の剥離ローラは、上記テープ体の延在方向とこの延在方向に直交する方向にオフセットして設けられており、上記保持機構が上記ガイド機構にガイドされたテープ体の接着テープに近接して、保持された被貼付体に上記接着テープが貼り合わされると、上記リフトベースが上記テープ体から離間する方向に移動し、次いで、上記スライドテーブルが上記延在方向の上流側にスライドして、上記支持テープが上記一対の剥離ローラによって上記接着テープから剥離される。
【発明の効果】
【０００９】
本発明によれば、テープ体に対して近接離間する方向と上記テープ体の延在方向にオフセットして設けられており、従って、支持テープを異なる向きに撓ませることでき、これにより、被貼付体に貼り合わされた接着テープより支持テープを確実に剥がすことができる。
【発明を実施するための最良の形態】
【００１０】
以下、本発明が適用された接着テープの貼合装置が用いられた透明板の取付装置について、図面を参照して説明する。
【００１１】
図１及び図２に示すように、透明板１００の取付装置１は、透明板１００を携帯型電話機の表示部が設けられる開口部の開口端に取り付けるための装置本体２と、筐体に取り付けられた表示部を構成する液晶表示パネルのクリーニングを行うクリーニング機構３とを備えている。装置本体２は、内ケース４内に設けられ、クリーニング機構３は、内ケース４と外ケース５との間に設けられている。内ケース４には、内ケース４内のエアを清浄するクリーンファンユニット４ａが設けられ、外ケース５には、外ケース５内のエアを清浄するクリーンファンユニット５ａが設けられている。また、外ケース５の正面には、作業者が手を挿入するための作業用開口部５ｂが設けられ、内ケース４の両側面には、更に作業開口部５ｂから挿入した手を内ケース４内に挿入するための作業用開口部４ｂ，４ｂが設けられている。
【００１２】
内ケース４内の装置本体２は、クリーニング機構３によってクリーニングされた液晶表示パネルが取り付けられた筐体１１１が保持された筐体保持装置６と、透明板１００を保持する透明板保持装置７と、透明板保持装置７に保持されている透明板１００の裏面をクリーニングするクリーニングローラ８と、除塵された透明板１００に接着テープ１０２を貼り合わせる貼合装置９とを備える。
【００１３】
ここで、透明板１００が用いられる携帯型電話機１１０について説明すると、図３に示すように、携帯型電話機１１０は、筐体１１１の主面に、機器の動作状況等を表示する表示部１１２が設けられている。この表示部１１２は、筐体１１１に設けられた開口部１１３に液晶表示パネルが取り付けられ、透明板１００で閉塞されている。この透明板１００は、周囲に遮光部１００ａが設けられており、この遮光部１００ａの裏面に、透明板１００を開口部１１３に取り付けるための接着テープ１０２が貼り合わされる。また、遮光部１００ａに囲まされた領域は、液晶表示パネルの表示領域と対応した透光部１００ｂとなっている。そして、接着テープ１０２が貼り合わされた透明板１００は、開口部１１３に嵌合するように貼り合わせ面に貼り合わされる。
【００１４】
図２に示すように、液晶表示パネルが開口部１１３から取り付けられた筐体１１１は、先ず、クリーニング機構３の保持部３ａに保持される。そして、開口部１１３に取り付けられている液晶表示パネルの表示面は、空気流が吹き付けられることによって、静電気等で付着している塵埃等が除去される。なお、ここで吹き付けられる空気流は、静電気等を除去するためイオン化された空気流であってもよい。
【００１５】
液晶表示パネルの表面がクリーニングされた筐体１１１は、次いで、内ケース４内の筐体保持装置６に移送され、ここで、接着テープ１０２が貼り合わされた透明板１００が貼り合わされることになる。
【００１６】
一方、透明板１００は、内ケース４内の透明板保持装置７に吸引保持される。ここで、透明板１００は、裏面を上にして保持される。そして、透明板保持装置７に保持された透明板１００の裏面は、クリーニングローラ８によって除塵される。そして、除塵された透明板１００は、透明板保持装置７により反転された後、貼合装置９に移送される。
【００１７】
貼合装置９には、背面から前面側にテープ体１０１が供給されている。このテープ体１０１は、図４及び図５に示すように、両面に接着層１０２ａ，１０２ｂが形成された接着テープ１０２と、一方の接着層１０２ａに貼り合わされている剥離テープ１０３と、他方の接着層１０２ｂに貼り合わされている支持テープ１０４とから構成されている。剥離テープ１０３が剥離された状態で貼合装置９に供給される接着テープ１０２と支持テープ１０４とは、透明板１００の透光部１００ｂに対応した開口部１０５が形成され、接着テープ１０２は、遮光部１００ａに対応するように略矩形をなす環状に形成されている。支持テープは、ポリエチレンテレフタレート等の基材で形成されており、剥離テープ１０３が剥がされたテープ体１０１を確実に貼合装置９に供給できるようになっている。また、支持テープ１０４には、接着テープ１０２の外周側に複数の位置決め孔１０６が形成されている。また、支持テープ１０４は、接着テープ１０２より幅広に形成され、余白部分が貼合装置９のガイド機構１２が係合する領域となっている。テープ体１０１は、剥離テープ１０３が剥離された状態で、剥離テープ１０３が貼り合わされていた一方の接着層１０２ａを上にして、すなわち透明板保持装置７に保持された透明板１００の裏面に対向するようにして貼合装置９に供給される。
【００１８】
次に、本発明を適用した透明板１００に接着テープ１０２を貼り合わせる貼合装置９について説明する。図６に示すように、この貼合装置９は、本体部１１の背面から前面に亘って走行するテープ体１０１のガイドをするガイド機構１２と、このガイド機構１２にガイドされたテープ体１０１の延在する延在方向にスライド可能なスライドテーブル１３と、接着テープ１０２より支持テープ１０４を剥離する剥離ローラ機構１４と、スライドテーブル１３が取り付けられるリフトベース１５とを備える。
【００１９】
ガイド機構１２は、図６に示すように、剥離テープ１０３が剥がされたテープ体１０１を支持テープ１０４側から支持するガイドテーブル１６と、テープ体１０１の走行方向と平行な両側縁部をガイドする一対のガイド部材１７とを有する。ガイドテーブル１６には、支持テープ１０４の幅と略同じ幅のガイド凹部１８が設けられており、剥離テープ１０３が剥がされたテープ体１０１は、ガイド凹部１８内を走行する。ガイド凹部１８の底面部には、支持テープ１０４を剥離する際に剥離ローラ機構１４やスライドテーブル１３が進入する切欠部１９が形成されている。ガイド凹部１８の両側縁部には、ガイド部材１７が設けられている。一対のガイド部材１７は、ガイド凹部１８の剥離テープ１０３が剥がされたテープ体１０１の両側縁部、すなわち支持テープ１０４の余白部分を押さえ付け、ガイド凹部１８と共に剥離テープ１０３が剥がされたテープ体１０１のガイドを行う。ガイド機構１２に供給されるテープ体１０１は、図示しない供給機構によって順次背面から前面に向かって送り出されることになる。
【００２０】
ガイド機構１２の下流側には、剥離テープ１０３が剥がされた接着テープ１０２を透明板１００の遮光部１００ａの裏面側に貼り合わせる際の支持台となるスライドテーブル１３が設けられている。スライドテーブル１３は、図７乃至図９に示すように、透明板１００より大きい略矩形の基台２１のテープ体１０１が延在される主面にカバー２２が取り付けられてなる。また、基台２１には、テープ体１０１側の主面に複数のコイルバネ等でなる第１乃至第３の弾性体２３ａ，２３ｂ，２３ｃが配設されている。第１乃至第３の弾性体２３ａ，２３ｂ，２３ｃは、押圧面を平坦するためのカバー２２を介してテープ体１０１を透明板保持装置７に保持された透明板１００の裏面に押圧する。
【００２１】
ここで、第１の弾性体２３ａは、長手方向の両端部に配設されるものである。下流側の第１の弾性体２３ａは、透明板１００の裏面に貼り合わされた接着テープ１０２より支持テープ１０４を剥離する際の起点に位置するものであり、支持テープ１０４を透明板１００に押し付ける弾性力が第２の弾性体２３ｂより大きく設定され、確実に接着テープ１０２より支持テープ１０４を剥離することができるようにしている。また、上流側の第３の弾性体２３ｃは、透明板１００の裏面に貼り合わされた接着テープ１０２より支持テープ１０４を剥離する際の終点に位置するものであり、第１の弾性体２３ａと同様に、支持テープ１０４を透明板１００に押し付ける弾性力が第２の弾性体２３ｂより大きく設定されている。また、基台２１には、支持テープ１０４に形成された複数の位置決め孔１０６に係合する位置決め突起２４が形成されている。また、図６に示すように、基台２１の裏面には、リフトベース１５に対してスライドできるようにスライドガイド部材２５が設けられている。
【００２２】
以上のように構成されたスライドテーブル１３の基台２１には、図６乃至図９に示すように、剥離ローラ機構１４が設けられている。剥離ローラ機構１４は、支持部材３１によって２つの剥離ローラ３２，３３が回転自在に設けられてなる。支持部材３１は、スライドテーブル１３の一端部に固定されており、剥離ローラ３２，３３が剥離テープ１０３が剥がされた接着テープ１０２の延在方向と平行な相対する支持片３４，３５に取り付けられている。一方の剥離ローラ３２は、一方の支持片３４のスライドテーブル１３に近い側に設けられていると共に、先端よりやや下側に設けられている。また、他方の剥離ローラ３３は、他方の支持片３５のスライドテーブル１３から離れた側に設けられていると共に、剥離ローラ３３より高い位置に設けられている。すなわち、剥離ローラ３２，３３は、一対の支持片３４，３５に、剥離テープ１０３が剥がされた接着テープ１０２の延在方向とこの延在方向と直交する方向にオフセットするように設けられ、支持テープ１０４を各ローラ３２，３３によって異なる向きに撓ませることができるようになっている。これら剥離ローラ３２，３３は、スライドテーブル１３が支持テープ１０４を剥離する図７中矢印Ａ方向にスライドした際に、透明板１００の裏面に貼り合わされた接着テープ１０２から支持テープ１０４を剥離する。このとき、剥離ローラ３２は、接着テープ１０２から支持テープ１０４の剥離を開始するローラであることから、剥離ローラ３３より下側に設けられ、確実に接着テープ１０２から支持テープ１０４を剥離することができるようにしている。
【００２３】
以上のように剥離ローラ機構１４が設けられたスライドテーブル１３は、リフトベース１５に取り付けられる。図６に示すように、リフトベース１５は、略矩形をなし、幅方向中央に長手方向に沿ってスライドテーブル１３のガイドレール４１が設けられている。このガイドレール４１には、スライドテーブル１３のスライドガイド部材２５のガイド溝２５ａが係合する。これによって、スライドテーブル１３は、リフトベース１５上を、剥離テープ１０３が剥がされた接着テープ１０２の延在方向、すなわち図６中矢印Ａ方向及び反矢印Ａ方向にスライド可能になる。詳細は省略するが、スライドテーブル１３は、駆動機構となるスライドシリンダ機構に接続され、ガイドレール４１にガイドされて図６中矢印Ａ方向及び反矢印Ａ方向にスライドすることになる。また、リフトベース１５は、スライドテーブル１３を昇降させるための駆動機構となる昇降シリンダ機構に接続され、図６中矢印Ｂ方向及び反矢印Ｂ方向に昇降する。具体的に、リフトベース１５は、略コ字状の昇降ガイド部材４２の互いに平行な片に設けられたガイド孔４３によってガイドされて昇降される。
【００２４】
次に、以上のように構成された貼合装置９の動作について説明する。図１０に示すように、透明板保持装置７に保持されたクリーニングされた透明板１００は、貼合装置９の上方に移動される。具体的に、透明板１００は、ガイド機構１２によりガイドされたテープ体１０１と裏面が対向するようにテープ体１０１と離間して保持されている。このとき、スライドテーブル１３は、ガイド機構１２によりガイドされたテープ体１０１の走行方向の上流側である図１０中矢印Ａ方向にスライドし、ガイド機構１２の切欠部１９周辺に位置しており、また、リフトベース１５は、ガイド機構１２によりガイドされたテープ体１０１に近接する図１０中矢印反矢印Ｂ方向に上昇した状態にある。また、支持テープ１０４は、各接着テープ１０２の前後に設けられた位置決め孔１０６にスライドテーブル１３の位置決め突起２４が係合することによって、正確に位置決めされている。
【００２５】
次いで、図１１に示すように、上昇位置にあるリフトベース１５にスライド可能に取り付けられているスライドテーブル１３は、図１１中反矢印Ａ方向にスライドし、透明板保持装置７によって保持されている透明板１００の裏面と対峙する。このとき、スライドテーブル１３は、これから透明板１００の裏面に貼り合わせる剥離テープ１０３が剥がされた接着テープ１０２上に位置する。次いで、透明板１００を保持している透明板保持装置７は、図１１中矢印Ｃ方向に降下し、スライドテーブル１３上の接着テープ１０２を透明板１００の裏面に貼り合わせる。スライドテーブル１３には、第１乃至第３の弾性体２３ａ，２３ｂ，２３ｃが設けられていることから、透明板１００の裏面は、接着テープ１０２が圧着され、接着テープ１０２の全体が確実に貼り合わされることになる。このとき、スライドテーブル１３に取り付けられている剥離ローラ機構１４を構成する剥離ローラ３２，３３は、スライドテーブル１３上のテープ体１０１から離間している。
【００２６】
支持テープ１０４に支持された状態の接着テープ１０２が透明板１００の裏面に貼り合わされると、次いで、図１２に示すように、スライドテーブル１３が取り付けられているリフトベース１５は、図１２中矢印Ｂ方向に降下する。すると、スライドテーブル１３上に離間して位置していた剥離ローラ機構１４の剥離ローラ３２，３３は、テープ体１０１を構成する支持テープ１０４に当接し、更に、テープ体１０１を図１２中矢印Ｂ方向に押し下げ、これにより、支持テープ１０４は、撓むことによって、透明板１００の裏面に貼り合わされた接着テープ１０２から剥離され始める。
【００２７】
このとき、一対の支持片３４，３５に、剥離テープ１０３が剥がされた接着テープ１０２の延在方向とこの延在方向と直交する方向にオフセットするように設けられている剥離ローラ３２，３３内、スライドテーブル１３に近い側で剥離ローラ３３より下側に設けられた剥離ローラ３２が最初に透明板１００の裏面に貼り合わされた接着テープ１０２より支持テープ１０４を剥離する。このとき、支持テープ１０４が最初に剥離される位置には、弾性力の大きい第１の弾性体２３ａが設けられ、他の領域より強い押圧力で接着テープ１０２が透明板１００の裏面に押圧さている。したがって、確実に、剥離ローラ３２によって支持テープ１０４を接着テープ１０２から剥離することができる。
【００２８】
そして、図１３に示すように、剥離ローラ３２はスライドテーブル１３が図１３中矢印Ａ方向にスライドするに連れて剥離ローラ３３と共に、接着テープ１０２より支持テープ１０４を剥離する。このとき、剥離ローラ３２，３３は、オフセットして設けられているので、各ローラによって支持テープ１０４を異なる向きに撓ませることができ、接着テープ１０２から支持テープ１０４を確実に剥離することができる。
【００２９】
そして、透明板１００に貼り合わされた接着テープ１０２から支持テープ１０４を剥離し終えると、図１４に示すように、支持テープ１０４は、透明板１００の裏面に接着テープ１０２を残して透明板１００から離間する。接着テープ１０２から支持テープ１０４を剥離し終える地点においても、スライドテーブル１３には、弾性力の大きい第３の弾性体２３ｃが設けられていることから、確実に接着テープ１０２から支持テープ１０４を剥離することができる。
【００３０】
以上のように構成された貼合装置９では、剥離ローラ機構１４を構成する剥離ローラ３２，３３が支持部材３１の一対の支持片３４，３５に、剥離テープ１０３が剥がされた接着テープ１０２の延在方向とこの延在方向と直交する方向にオフセットするように設けられている。したがって、接着テープ１０２と支持テープ１０４との間の接着層１０２ｂのばらつきがある場合であっても、確実に接着テープ１０２から支持テープ１０４を剥離することができる。また、接着テープ１０２から支持テープ１０４を剥離する際の起点と終点に対応する位置には、他の領域より弾性力の大きい第１の弾性体２３ａと第３の弾性体２３ｃとが設けられて、他の領域より接着テープ１０２を透明板１００の裏面に押圧する押圧力が大きくなっており、確実の接着テープ１０２から支持テープ１０４を剥離することができる。この後、リフトベース１５は、上昇し、上述した図１０の状態に戻る。
【００３１】
なお、接着テープ１０２が貼り合わされた透明板１００は、この後、透明板保持装置７によって、筐体保持装置６によって保持されているクリーニング機構３によってクリーニングされた液晶表示パネルが取り付けられた筐体１１１の開口部１０５に取り付けられることになる。
【００３２】
以上、被貼合体を、携帯型電話機１１０に使用する透明板１００を例に取り説明したが、本発明において被貼合体は、透明板１００に限定されるものではなく、両面型の接着テープを用いて貼り合わされる様々な部材でもよい。
【図面の簡単な説明】
【００３３】
【図１】本発明を適用した貼合装置が用いられている透明板の取付装置の全体構成を示す斜視図である。
【図２】図１に示す取付装置の装置本体を示す斜視図である。
【図３】透明板と透明板が取り付けられる携帯型電話機を示す斜視図である。
【図４】本発明を適用した貼合装置に供給されるテープ体の斜視図である。
【図５】図４に示したテープ体の断面図である。
【図６】本発明を適用した貼合装置の斜視図である。
【図７】スライドテーブルの平面図である。
【図８】スライドテーブルの側面図である。
【図９】スライドテーブルの正面図である。
【図１０】接着テープが透明板に貼り合わされる前の状態を示す側面図である。
【図１１】接着テープが透明板の裏面に圧着されている状態を示す側面図である。
【図１２】図１１の状態からリフトベースが降下した状態を示す側面図である。
【図１３】透明板に貼り合わされた接着テープから支持テープを剥離する状態を示す側面図である。
【図１４】透明板に貼り合わされた接着テープから支持テープを剥離した状態を示す側面図である。
【符号の説明】
【００３４】
１  取付装置、２  装置本体、７  透明板保持装置、９  貼合装置、１１  本体部、１２  ガイド機構、１３  スライドテーブル、１４  剥離ローラ機構、１５  リフトベース、１６  ガイドテーブル、１７  ガイド部材、１８  ガイド凹部、１９  切欠部、２１  基台、２２  カバー、２３ａ  第１の弾性体、２３ｂ  第２の弾性体、２３ｃ  第３の弾性体、２４  位置決め突起、２５  スライドガイド部材、３１  支持部材、３２，３３  剥離ローラ、３４，３５  支持片、４１  ガイドレール、４２  昇降ガイド部材、４３  ガイド孔、１００  透明板、１００ａ  遮光部、１００ｂ  透光部、１０１  テープ体、１０２  接着テープ、１０２ａ，１０２ｂ  接着層、１０３  剥離テープ、１０４  支持テープ、１０５  開口部、１０６  位置決め孔
【図１】
2005314033.tif 000003
【図２】
2005314033.tif 000004
【図３】
2005314033.tif 000005
【図４】
2005314033.tif 000006
【図５】
2005314033.tif 000007
【図６】
2005314033.tif 000008
【図７】
2005314033.tif 000009
【図８】
2005314033.tif 000010
【図９】
2005314033.tif 000011
【図１０】
2005314033.tif 000012
【図１１】
2005314033.tif 000013
【図１２】
2005314033.tif 000014
【図１３】
2005314033.tif 000015
【図１４】
2005314033.tif 000016